(57)【特許請求の範囲】
【請求項１】
点火位置まで押し込んだ状態で押し込み力を解除すると手前側の火力調節位置まで突出し、その火力調節位置で回動することによりガスバーナへ供給されるガスの流量を増減してガスバーナの火力を調節する操作部材を備えた火力調節装置において、上記操作部材を前後方向に移動自在に保持すると共に、操作部材と共に回動する回動部材を設け、この回動部材を、操作部材の回動軸線に対して垂直に設けた平面状のガイド板部に沿いながら回動させることにより、少なくとも回動部材の回動時における歳差を抑制するものであり、上記ガイド板部に円周上の外周面を有するガイド軸部材を取り付け、このガイド軸部材を枢軸として上記回動部材を回動させるようにしたことを特徴とする火力調節装置。
【請求項２】
上記回動部材の外周面にギヤ部を設けると共に、上記ガイド板部に、回転軸が前後方向に長手となるように回転センサを取り付け、この回転センサの回転軸にピニオンギヤを遊嵌させてピニオンギヤを上記回動部材のギヤ部と噛合させ、さらに、ピニオンギヤが回転センサの回転軸から脱落することを防止する鍔部を上記回動部材のギヤ部に並設したことを特徴とする請求項１に記載の火力調節装置。
【発明の詳細な説明】
【技術分野】
【０００１】
本発明は、前後方向に移動してガスバーナの点消火を行うと共に、回動することによってガスバーナの火力調節を行う操作部材を備えた火力調節装置に関する。
【背景技術】
【０００２】
上述のような火力調節装置として、例えば、押し込み自在の点消火ボタンを備え、この点消火ボタンを押し込むとガスバーナにガスが供給されてガスバーナに点火されるものが知られている。このものでは押し込んだ点火位置で押し込み力を解除すると、点消火ボタンは手前に突出する。この点消火ボタンの外周には円筒状の火力調節つまみが回動自在に取り付けられており、点消火ボタンと共に手前に突出した状態で火力調節つまみを回動すると、ガスバーナに供給されるガスの流量が増減して火力が調節される。
【０００３】
その構造を詳述すると、火力調節つまみの回動軸線に対して所定の間隔を存して離間したニードル弁を有しており、そのニードル弁と同心状にピニオンギヤを設け、火力調節つまみの外周面に形成したギヤ部に噛合させて、火力調節つまみを回動すればピニオンギヤを介してニードル弁が回動して前後方向に移動するように構成されている。
【０００４】
なお、火力調節つまみは点消火ボタンと共に前後方向に移動するので、火力調節つまみが前後方向に移動しても常にギヤ部がピニオンギヤと噛合するように、ピニオンギヤの歯幅が前後方向に長く形成されている（例えば、特許文献１参照）。
【先行技術文献】
【特許文献】
【０００５】
【特許文献１】特開平６−５８５３５号公報（図２）
【発明の概要】
【発明が解決しようとする課題】
【０００６】
上記従来の火力調節装置では、火力調節つまみは前後方向に移動する点消火ボタンに回動自在に保持されているため、点消火ボタンと火力調節つまみとの間に隙間を設けなければならず、かつ、点消火ボタン自体も移動しなければならないので強固に保持されていない。そのため、火力調節つまみはがたついた状態で回動することになり、火力調節装置を組み込んだガス器具の高級感が損なわれるという問題が生じる。
【０００７】
また、そのため火力調節つまみとピニオンギヤとの軸間距離が一定せず、火力調節つまみの回転トルクが一定しない、すなわち火力調節つまみを回動する場合、軽くなったり重くなったりするという不具合も生じる。
【０００８】
さらには、火力調節つまみのギヤ部はピニオンギヤと噛合したままの状態で前後方向に移動するので、噛合部分での摩耗が大きくなるという不具合も生じる。
【０００９】
そこで本発明は、上記の問題点に鑑み、上述のような不具合が生じない火力調節装置を提供することを課題とする。
【課題を解決するための手段】
【００１０】
上記課題を解決するために本発明による火力調節装置は、点火位置まで押し込んだ状態で押し込み力を解除すると手前側の火力調節位置まで突出し、その火力調節位置で回動することによりガスバーナへ供給されるガスの流量を増減してガスバーナの火力を調節する操作部材を備えた火力調節装置において、上記操作部材を前後方向に移動自在に保持すると共に、操作部材と共に回動する回動部材を設け、この回動部材を、操作部材の回動軸線に対して垂直に設けた平面状のガイド板部に沿いながら回動させることにより、少なくとも回動部材の回動時における歳差を抑制するものであり、上記ガイド板部に円周上の外周面を有するガイド軸部材を取り付け、このガイド軸部材を枢軸として上記回動部材を回動させるようにしたことを特徴とする。
【００１１】
点消火と火力調節とを行う操作部材を設け、この操作部材とは別体の回動部材に操作部材を前後方向に移動自在であって、操作部材と共に回動するように保持させた。この回動部材が回動する際に歳差運動をすれば操作部材も歳差運動をすることになる。そこで、操作部材の回動軸線に対して垂直に設けた平面状のガイド板部を設け、回動部材をこのガイド板部に沿いながら回動させることにより、回動部材が回動する際に歳差運動をしないようにした。
【００１２】
なお、上記ガイド板部に円周上の外周面を有するガイド軸部材を取り付け、このガイド軸部材を枢軸として上記回動部材を回動させるようにしたので、回動部材の回動時に偏心して回動することが抑制される。
【００１３】
ところで、上記回動部材の外周面にギヤ部を設けると共に、上記ガイド板部に、回転軸が前後方向に長手となるように回転センサを取り付け、この回転センサの回転軸にピニオンギヤを遊嵌させてピニオンギヤを上記回動部材のギヤ部と噛合させ、さらに、ピニオンギヤが回転センサの回転軸から脱落することを防止する鍔部を上記回動部材のギヤ部に並設することにより、ギヤ部やピニオンギヤの摩耗が防止でき、かつ回転センサからの振動などが操作部材側に伝播することが防止できる。
【発明の効果】
【００１４】
以上の説明から明らかなように、本発明は、上記構成を採用することにより、操作部材がぐらつくことなく、回動軸線が一定の状態で回動することができ、火力調節装置が組み込まれたガス器具の高級感を棄損することがない。
【図面の簡単な説明】
【００１５】
【図１】本発明の火力調節装置が適用されるガスコンロの正面から見た斜視図
【図２】ガスコンロ内の配管状態を示す図
【図３】火力調節装置の斜視図
【図４】火力調節装置の分解斜視図
【図５】ガイド軸部材の形状を示す図
【図６】ギヤ部とピニオンギヤとの噛合状態を示す図
【発明を実施するための形態】
【００１６】
図１を参照して、１は本発明による火力調節装置が適用されるガスコンロである。このガスコンロ１の上面には天板１１が設けられており、その天板１１には３個のガスバーナ１１ａ、１１ｂ、１１ｃが設けられている。一方、このガスコンロ１の前面パネル１２には各ガスバーナ１１ａ、１１ｂ、１１ｃの点消火操作及び火力調節操作を行うための火力調節装置１３ａ、１３ｂ、１３ｃが設けられている。また、前面パネル１２の略中央にはグリル庫１４が設けられており、グリル庫１４内には上火バーナ１４ａと下火バーナ１４ｂとが設置されている。そして、上火バーナ１４ａと下火バーナ１４ｂの点消火及び火力調節は火力調節装置１５によって行われる。
【００１７】
図２を参照して、本実施の形態では、ガスの供給管路は４本に並設に分岐され、その分岐された供給管路の各々に火力調節装置１３ａ、１３ｂ、１３ｃ，１５が設けられている。火力調節装置１３ａを例に説明すると、火力調節装置１３ａ内には点消火を行うための開閉弁部２と火力調節を行うための流量調節部３とを備えている。
【００１８】
開閉弁部２内には手動操作により開弁される元弁２１ａと電磁安全弁の弁体２２ａとが直列に設けられている。一方、流量調節部３にはモータ３１が連結されており、モータ３１を駆動させることにより流量を増減するように構成されている。なお、火力調節装置１３ｂ、１３ｃは共に火力調節装置１３ａと同じ構造であるが、火力調節装置１５は開閉弁部２は同じ構造であるものの流量調節部３の構造が他のものと相違する。
【００１９】
火力調節装置１５の流量調節部３は並列な２系統に分岐され、その各々に電磁力によって開閉する開閉弁１５ａ、１５ｂが設けられ、かつ、両開閉弁１５ａ、１５ｂをバイパスするオリフィス１６が設けられている。従って、例えば開閉弁１５ａが開弁すれば上火バーナ１４ａの火力は強火になり、開閉弁１５ａが閉弁すればオリフィス１６を通るガスによって弱火になる。
【００２０】
図３および図４を参照して、引き続き火力調節装置１３ａを例に、火力調節装置１３ａの構造を説明する。４１は操作つまみで有り、点消火時に押し込まれ、また火力調節時には外周面をつままれて回動されるものである。この操作つまみ４１の内側には操作つまみ４１と一体となって進退し、かつ回動する内部材４２が連結されており、この内部材４２は回動部材４４に対して前後方向に移動自在に係合している。そして、内部材４２と回動部材４４との間にはコイルバネ４３が縮設されており、操作つまみ４１は内部材４２を介して常に前方に向かって付勢されている。なお、本実施の形態では、操作つまみ４１と内部材４２との２個の部材で操作部材を構成したが、操作部材を操作つまみのみの１個の部材で構成してもよい。
【００２１】
回動部材４４は板金製のブラケット４７に係合するガイド軸４８に遊嵌し、ガイド軸４８を中心に回動することができる。なお、ガイド軸４８には回動部材４４が前方に移動しないように係合する係合爪４８ｂが設けられており、またコイルバネ４３の反作用により回動部材４４はブラケット４７のガイド板部４７ａに押し付けられるので、回動部材４４は前後方向に移動することなく、かつ歳差や偏心することなく回動することができる。回動部材４４は内部材４２に対して係合しているので、操作つまみ４１を回動すると内部材４２を介して回動部材４４が回動することになる。
【００２２】
回動部材４４の後端部外周面にはギヤ４４ａが形成されており、このギヤ４４ａにはピニオンギヤ４５が噛合する。このピニオンギヤ４５は回転センサであるロータリエンコーダ４６の回転軸４６ａに遊嵌している。従って、回動部材４４が回動するとロータリエンコーダ４６の回転軸軸４６ａが回転する。このロータリエンコーダ４６内には電気的なスイッチが設けられており、回転軸４６ａが回転すると所定の角度毎にスイッチがオン・オフを繰り返すので、回転軸４６ａが所定角度回転する毎にパルス信号を出力するものである。そして、そのパルス信号に応じてモータ３１が作動し、内蔵されたニードル弁（図示せず）が前後に移動し開度が増減し、ガス流量が調節される。
【００２３】
ブラケット４７の後方にはガイド部材５が取り付けられている。このガイド部材５は２個の部材であるスライダ６２と規制部材８とを前後方向に移動自在にガイドする機能を有している。そして、正面から見て左側面には規制部材８の位置によってオンオフする２つの接点を内蔵したマイクロスイッチ５１が取り付けられている。右側面には、規制部材８に形成した係合爪８１が突出する窓穴５２が形成されている。さらに同じく右側面にはロック板７が上下方向に揺動自在に取り付けられている。このロック板７にはロック部７２が形成されており、ロック板７が上方に揺動して窓穴５２に重なると、規制部材８の係合爪８１がロック部７２に当接して、規制部材８がそれ以上前方に移動できないように規制部材８の移動がロックされるように構成されている。
【００２４】
上記スライダ６２には前方に向かって突出するアーム６１が設けられており、このアームは上記内部材４２に回転自在に係合している。従って、操作つまみ４１を押し込むとアーム６１を介してスライダ６２がガイド部材５内を奥側に移動する。また、上記コイルバネ４３の付勢力により操作つまみ４１が前方へと戻されると、アーム６１を介してスライダ６２も前方へと移動する。
【００２５】
スライダ６２にはハートカム６が一体に設けられており、そのハートカム６のカム溝内に先端部７１ａが挿入されるバネ棒７１が、ガイド部材５に揺動自在に保持されている。なお、バネ棒７１の先端部７１ａはロック板７の窓穴７３に挿通されているので、先端部７１ａが揺動して上下方向の位置が変位すると、その変位に合わせてロック板７が上下方向に揺動する。
【００２６】
上記開閉弁部２からは前方に向かってロッド２１が突出しており、開閉弁部２と規制部材８との間にはコイルバネ８２が縮設されている。従って、規制部材８は常に前方に向かってコイルバネ８２によって付勢されているが、操作つまみ４１を押し込むことによってスライダ６２が後方に移動する際、スライダ６２によって規制部材８が押されると、規制部材８も後方へと移動してロッド２１を後方に押すことになる。また、スライダ６２が前方へ移動すると、コイルバネ８２の付勢力によって規制部材８も前方へ移動するが、その際、上記ロック板７が上方に揺動してロック部７２が窓穴５２に重なっていると係合爪８１がロック部７２に当接して規制部材８の前方への移動が規制されることは上述の通りである。
【００２７】
図５および図６を合わせて参照して、ガイド軸４８はガイド板部４７ａに手前方向に向かって嵌着されるもので、円周面４８ａが回動部材４４の枢軸として機能することによって回動部材４４が回動する際に偏心しないように構成されている。なお、回動部材４４はコイルバネ４３の反作用によってガイド板部４７ａに対して常に押接されているが、煮こぼれ等によって内部材４２と回動部材４４とが固着した場合に、操作つまみ４１や内部材４２と共に回動部材４４が前方に移動しないように、係合爪４８ｂが設けられている。なお、ガイド板部４７ａは操作つまみ４１の回動軸線に対して直角に設けられているので、回動部材４４は歳差運動することなく回動することができる。
【００２８】
ところで、ロータリエンコーダ４６は内部にスイッチを備え、回転軸４６ａが所定角度回転する毎にオン・オフを繰り返すが、その際に振動が発生する。その振動が操作つまみ４１に伝播すると火力調節時に不快感を感じる場合がある。そこで、回転軸４６ａに対してピニオンギヤ４５を遊嵌し、回転軸４６ａからピニオンギヤ４５に振動が伝播しないようにした。ただし、そのままではピニオンギヤ４５が回転軸４６ａから脱落するおそれがあるので、回動部材４４のギヤ４４ａに鍔部４４ｂを並設し、ピニオンギヤ４５が鍔部４４ｂに当接してピニオンギヤが回転軸４６ａから脱落しないようにした。
【００２９】
なお、本発明は上記した形態に限定されるものではなく、本発明の要旨を逸脱しない範囲内において種々の変更を加えてもかまわない。
【符号の説明】
【００３０】
１ ガスコンロ
２ 開閉弁部
３ 流量調節部
５ ガイド部材
６ ハートカム
７ ロック板
８ 規制部材
１１ 天板
１１ａ ガスバーナ
１２ 前面パネル
１３ａ 火力調節装置
１３ｂ 火力調節装置
１４ グリル庫
１５ 火力調節装置
２１ ロッド
３１ モータ
４１ 操作つまみ
４２ 内部材
４３ コイルバネ
４４ 回動部材
４４ａ ギヤ
４４ｂ 鍔部
４５ ピニオンギヤ
４６ ロータリエンコーダ
４６ａ 回転軸
４７ ブラケット
４７ａ ガイド板部
４８ ガイド軸
４８ｂ 係合爪
【図１】
0005946138.tif 000002
【図２】
0005946138.tif 000003
【図３】
0005946138.tif 000004
【図４】
0005946138.tif 000005
【図５】
0005946138.tif 000006
【図６】
0005946138.tif 000007